(57)【特許請求の範囲】
【請求項１】
放電空間を挟んで前面基板と背面基板が対向され、前面基板に行方向に延び列方向に並設されてそれぞれ表示ラインを形成する複数の行電極対が設けられているとともにこの前面基板の放電空間に面する側に保護誘電体層が形成されており、背面基板に列方向に延び行方向に並設されて行電極対と交差する部分の放電空間にそれぞれ単位発光領域を構成する複数の列電極が設けられているとともにこの背面基板の放電空間に面する側に蛍光体層が形成されているプラズマディスプレイパネルにおいて、
前記前面基板と背面基板の間の前記各単位発光領域に面する位置に、プライミング粒子を放出するプライミング粒子放出手段が配置され、
このプライミング粒子放出手段が、保護誘電体層を形成する誘電体よりも２次電子放出係数が高い材料と、所要の波長を有する紫外線によって励起されて紫外線を０．１ｍｓｅｃ以上放射し続ける残光特性を有する紫外域発光蛍光体、または、所要の波長を有する紫外線によって励起されて可視光を０．１ｍｓｅｃ以上放射し続ける残光特性を有する可視域発光蛍光体を含んでいる、
ことを特徴とするプラズマディスプレイパネル。
【請求項２】
前記保護誘電体層を形成する誘電体よりも２次電子放出係数が高い材料によって２次電子放出層が形成されている請求項１に記載のプラズマディスプレイパネル。
【請求項３】
前記保護誘電体層を形成する誘電体よりも２次電子放出係数が高い材料が前記蛍光体層に含有されることによって、前記２次電子放出層が蛍光体層と一体的に形成されている請求項２に記載のプラズマディスプレイパネル。
【請求項４】
前記前面基板と背面基板との間に配置された隔壁によって放電空間が単位発光領域ごとに仕切られ、前記２次電子放出層が隔壁の側壁面に形成されている請求項２に記載のプラズマディスプレイパネル。
【請求項５】
前記前面基板と背面基板との間に配置された隔壁によって放電空間が単位発光領域ごとに仕切られ、隔壁に保護誘電体層を形成する誘電体よりも２次電子放出係数が高い材料が含有されることによって、前記２次電子放出層が隔壁と一体的に形成されている請求項２に記載のプラズマディスプレイパネル。
【請求項６】
前記２次電子放出層が前記前面基板と蛍光体層との間に配置されている請求項２に記載のプラズマディスプレイパネル。
【請求項７】
前記背面基板と蛍光体層の間に列電極を被覆する誘電体層が形成され、この誘電体層に前記保護誘電体層を形成する誘電体よりも２次電子放出係数が高い材料が含有されることによって、前記２次電子放出層が誘電体層と一体的に形成されている請求項２に記載のプラズマディスプレイパネル。
【請求項８】
前記紫外域発光蛍光体または可視域発光蛍光体によって、紫外域発光層または可視域発光層が形成されている請求項２に記載のプラズマディスプレイパネル。
【請求項９】
前記保護誘電体層を形成する誘電体よりも２次電子放出係数が高い材料が前記紫外域発光層または可視域発光層に含有されることによって、前記２次電子放出層が紫外域発光層または可視域発光層と一体的に形成されている請求項８に記載のプラズマディスプレイパネル。
【請求項１０】
前記紫外域発光蛍光体または可視域発光蛍光体が前記蛍光体層に含有されることによって、前記紫外域発光層または可視域発光層が蛍光体層と一体的に形成されている請求項８に記載のプラズマディスプレイパネル。
【請求項１１】
前記保護誘電体層を形成する誘電体よりも２次電子放出係数が高い材料および紫外域発光蛍光体または可視域発光蛍光体が前記蛍光体層に含有されることによって、前記２次電子放出層および紫外域発光層または可視域発光層が蛍光体層と一体的に形成されている請求項８に記載のプラズマディスプレイパネル。
【請求項１２】
前記プライミング粒子放出手段が、前記行電極対と対向する位置において行方向に延びるように形成されて、列方向において隣接する単位発光領域の放電空間に臨まされている請求項１に記載のプラズマディスプレイパネル。
【請求項１３】
前記プライミング粒子放出手段が、行方向において隣接する単位発光領域の間の位置に列方向に延びるように形成されて、行方向において隣接する単位発光領域の放電空間に臨まされている請求項１に記載のプラズマディスプレイパネル。
【請求項１４】
行方向に延びる横壁部と列方向に延びる縦壁部とからなり前記前面基板と背面基板との間に配置された隔壁によって放電空間が単位発光領域ごとに仕切られ、前記プライミング粒子放出手段が前面基板と隔壁の横壁部との間に形成されている請求項１に記載のプラズマディスプレイパネル。
【請求項１５】
行方向に延びる横壁部と列方向に延びる縦壁部とからなり前記前面基板と背面基板との間に配置された隔壁によって放電空間が単位発光領域ごとに仕切られ、前記プライミング粒子放出手段が前面基板と隔壁の縦壁部との間に形成されている請求項１に記載のプラズマディスプレイパネル。
【請求項１６】
前記前面基板と背面基板との間に配置された列方向に延びる帯状の隔壁によって行方向において隣接する単位発光領域が仕切られており、前記プライミング粒子放出手段が行電極の本体部と対向する位置において行方向に延びるように形成されている請求項１に記載のプラズマディスプレイパネル。
【請求項１７】
前記前面基板の行方向または列方向において隣接する単位発光領域の間の非発光領域に対向する部分であって前記紫外域発光層または可視域発光層に対して背面基板と反対側位置に光吸収層が形成されている請求項８に記載のプラズマディスプレイパネル。
【発明の詳細な説明】
【０００１】
【発明の属する技術分野】
この発明は、マトリクス表示方式のプラズマディスプレイパネルに関する。
【０００２】
【発明が解決しようとする課題】
近年、大型でかつ薄型のカラー画面表示装置として、マトリクス表示方式のプラズマディスプレイパネル（以下、ＰＤＰという）が注目を集めている。
このようなマトリクス表示方式のディスプレイパネルとしては、ＡＣ型のＰＤＰが知られている。
【０００３】
このＡＣ型のＰＤＰは、前面基板の内面にそれぞれ一表示ラインを構成するように形成された複数の行電極対と、前面基板と放電空間を介して対向する背面基板の内面に形成されて行電極対と直交する方向に配列された複数の列電極とを備えており、行電極対と列電極との各交差点において、互いにマトリクス状に配列された放電セルが形成される構造になっている。
【０００４】
そして、これらの行電極対と列電極が放電空間に対して誘電体層によって被覆され、また、背面基盤の内面の列電極上に蛍光体層が形成されている。
【０００５】
このようなＰＤＰにおいて中間調を表示させるための方法として、従来、１フィールドの表示期間をＮビットの表示データの各ビット桁の重み付けに対応した回数だけ発光するＮ個のサブフィールドに分割する、いわゆる、サブフイールド法が知られている。
【０００６】
このサブフイールド法において、各サブフィールドは、図１２に示されるように、それぞれ、一斉リセット期間Ｒｃとアドレス期間Ｗｃ，維持放電期間Ｉｃによって構成されている。
【０００７】
先ず、一斉リセット期間Ｒｃでは、互いに対をなす行電極Ｘ1-nとＹ1-n間にリセットパルスＲＰｘ，ＲＰｙが一斉に印加されることによって、全ての放電セルにおいて一斉に放電が行われ、これによって、一旦、各放電セル内に所定量の壁電荷が形成される。
【０００８】
次のアドレス期間Ｗｃでは、行電極対の一方の行電極Ｙ1-nに、順次、走査パルスＳＰが印加されるとともに、列電極Ｄ1-mに、各表示ライン毎に表示データに対応した表示データパルスＤＰ1-nが印加されて、選択放電（選択消去放電）が生起される。
【０００９】
このとき、各放電セルは、表示データに対応して、消去放電が発生せずに壁電荷が形成されたままの発光セルと、消去放電が発生して壁電荷が消滅した非発光セルとに分けられる。
【００１０】
次の維持発光期間Ｉｃでは、互いに対をなす行電極Ｘ1-nとＹ1-n間に維持パルスＩＰｘ，ＩＰｙが各サブフィールドの重み付けに対応した数だけ印加され、これによって、壁電荷が残留したままの発光セルのみが、印加される維持パルスＩＰｘ，ＩＰｙの数に対応した数だけ維持放電を繰り返す。
【００１１】
そして、前面基板と背面基板の間の放電空間内には、キセノンＸｅを５体積パーセントだけ含むＮｅ−Ｘｅガスが封入されており、維持放電によってキセノンＸｅから波長１４７ｎｍの真空紫外線が放射される。
【００１２】
ＰＤＰにおける画像表示は、この真空紫外線により背面基板上に形成された蛍光体層が励起されて可視光が発生されることによって行われる。
【００１３】
ここで、上記のようなＰＤＰは、サブフイールド法の一斉リセット期間Ｒｃにおけるリセット放電によって全ての放電セルの放電空間内にプライミング粒子（荷電粒子）が形成されるが、このプライミング粒子は時間の経過とともに減少してゆくために、一斉リセットが動作された後、次の選択動作が行われる（走査パルスＳＰが印加される）までの時間間隔が長くなってしまう表示ライン（例えば、最終走査ラインとなるｎ行目の表示ライン）ほどプライミング粒子が少なくなってしまう。
【００１４】
このため、このようなプライミング粒子が少ない放電セルにおいては、放電遅れ時間が増大したり、また、放電遅れ時間のばらつきが増大したりするために、アドレス期間Ｗｃにおける選択放電動作が不安定になって誤放電が生じ易くなり、このために、表示される画像の品質が悪化するという問題がある。
【００１５】
この発明は、上記のような従来のプラズマディスプレイパネルにおける問題点を解決するために為されたものである。
すなわち、この発明は、誤放電を防止して表示する画像の品質を向上させることができるプラズマディスプレイパネルを提供することを目的としている。
【００１６】
【課題を解決するための手段】
第１の発明によるプラズマディスプレイパネルは、上記目的を達成するために、放電空間を挟んで前面基板と背面基板が対向され、前面基板に行方向に延び列方向に並設されてそれぞれ表示ラインを形成する複数の行電極対が設けられているとともにこの前面基板の放電空間に面する側に保護誘電体層が形成されており、背面基板に列方向に延び行方向に並設されて行電極対と交差する部分の放電空間にそれぞれ単位発光領域を構成する複数の列電極が設けられているとともにこの背面基板の放電空間に面する側に蛍光体層が形成されているプラズマディスプレイパネルにおいて、
前記前面基板と背面基板の間の前記各単位発光領域に面する位置に、プライミング粒子を放出するプライミング粒子放出手段が配置され、
このプライミング粒子放出手段が、保護誘電体層を形成する誘電体よりも２次電子放出係数が高い材料と、所要の波長を有する紫外線によって励起されて紫外線を０．１ｍｓｅｃ以上放射し続ける残光特性を有する紫外域発光蛍光体、または、所要の波長を有する紫外線によって励起されて可視光を０．１ｍｓｅｃ以上放射し続ける残光特性を有する可視域発光蛍光体を含んでいる、
ことを特徴とするプラズマディスプレイパネル。
【００１７】
この第１の発明によるプラズマディスプレイパネルは、一斉リセット期間に、互いに対をなす行電極間にリセットパルスが一斉に印加されることによって全ての単位発光領域において一斉に放電が行われて、各単位発光領域内に所定量の壁電荷が形成される。
【００１８】
次のアドレス期間に、行電極対の一方の行電極に順次走査パルスが印加されるとともに、列電極に各表示ライン毎に表示データに対応した表示データパルスが印加されて、選択放電が生起される。
【００１９】
このとき、各放電セルは、表示データに対応して、消去放電が発生せずに壁電荷が形成されたままの発光セルと、消去放電が発生して壁電荷が消滅した非発光セルとに分けられる。
【００２０】
次の維持発光期間に、互いに対をなす行電極間に維持パルスが印加されて壁電荷が残留したままの発光セルのみが維持放電を行うことにより、画像の形成が行われる。
【００２１】
そして、このプライミング粒子放出手段から２次電子や励起粒子，イオンなどのプライミング粒子が単位発光領域の放電空間内に放出される。
【００２２】
したがって、保護誘電体層を構成する誘電体の２次電子放出係数が低い場合であっても、プライミング粒子放出手段が設けられていることによって、放電空間内に放出されるプライミング粒子の量が増加されて、アドレス期間においても十分なプライミング粒子量が確保される。
【００２３】
以上のように上記第１の発明によれば、プライミング粒子放出手段によって、アドレス期間において十分なプライミング粒子量が確保されるので、一斉リセット期間が終了した後、次のアドレス期間において走査パルスが印加されるまでの時間間隔が長くなってしまう表示ラインにおいても、放電遅れ時間が増大するのを抑制することが出来、さらに、放電遅れ時間にばらつきが生じるのを抑制することが出来るので、走査パルスや表示データパルスのパルス幅が狭くなっても、アドレス期間における選択放電動作が不安定になって誤放電が発生するのを防止して、高品質な画像の形成を行うことが出来るようになる。
そして、プライミング粒子放出手段が０．１ｍｓｅｃ以上の残光特性を有する紫外域発光蛍光体または可視域発光蛍光体を含んでいることによって、この紫外域発光蛍光体または可視域発光蛍光体から紫外線または可視光線が放射し続けられるので、一斉リセット期間の終了後、次のアドレス期間中、この紫外線または可視光線によって保護誘電体層および２次電子放出層から２次電子が放出されてプライミング粒子が再生成され、これによって、各単位発光領域におけるプライミング粒子量の減少が抑制されるので、放電遅れ時間が増大するのがさらに抑制されるとともに放電遅れ時間にばらつきが生じるのがさらに抑制される。
【００２４】
第２の発明によるプラズマディスプレイパネルは、前記目的を達成するために、第１の発明の構成に加えて、前記保護誘電体層を形成する誘電体よりも２次電子放出係数が高い材料によって２次電子放出層が形成されていることを特徴としている。
【００２５】
この第２の発明によるプラズマディスプレイパネルによれば、画像形成時のリセット放電の際に、各単位発光領域の蛍光体層から放射される可視光線によって、２次電子放出層を形成する２次電子放出係数の高い（仕事関数が低い）材料が励起されて、この２次電子放出層から２次電子が単位発光領域の放電空間内に放出されるので、保護誘電体層を構成する誘電体の２次電子放出係数が低い場合であっても、２次電子放出層が設けられていることによって、放電空間内に放出される２次電子の量が増加されて、アドレス期間においても十分なプライミング粒子量が確保される。
【００２６】
第３の発明によるプラズマディスプレイパネルは、前記目的を達成するために、第２の発明の構成に加えて、前記保護誘電体層を形成する誘電体よりも２次電子放出係数が高い材料が前記蛍光体層に含有されることによって、前記２次電子放出層が蛍光体層と一体的に形成されていることを特徴としており、これによって、画像形成時のリセット放電の際に、各単位発光領域の蛍光体層において、この蛍光体層を形成する蛍光材料から放射される可視光線によってこの蛍光体層に含有される２次電子放出係数が高い材料が励起されて２次電子が単位発光領域の放電空間内に放出されて、アドレス期間においても十分なプライミング粒子量が確保される。
【００２７】
第４の発明によるプラズマディスプレイパネルは、前記目的を達成するために、第２の発明の構成に加えて、前記前面基板と背面基板との間に配置された隔壁によって放電空間が単位発光領域ごとに仕切られ、前記２次電子放出層が隔壁の側壁面に形成されていることを特徴としており、これによって、隔壁の側壁面に形成された２次電子放出層から、この２次電子放出層が隔壁によって仕切られた列方向または行方向において隣接する単位発光領域の放電空間内に２次電子が放出されて、この単位発光領域内に十分なプライミング粒子量が確保される。
【００２８】
第５の発明によるプラズマディスプレイパネルは、前記目的を達成するために、第２の発明の構成に加えて、前記前面基板と背面基板との間に配置された隔壁によって放電空間が単位発光領域ごとに仕切られ、隔壁に保護誘電体層を形成する誘電体よりも２次電子放出係数が高い材料が含有されることによって、前記２次電子放出層が隔壁と一体的に形成されていることを特徴としており、これによって、隔壁と一体に形成された２次電子放出層から、この２次電子放出層が隔壁によって仕切られた列方向または行方向において隣接する単位発光領域の放電空間内に２次電子が放出されて、この単位発光領域内に十分なプライミング粒子量が確保される。
【００２９】
第６の発明によるプラズマディスプレイパネルは、前記目的を達成するために、第２の発明の構成に加えて、前記２次電子放出層が前記前面基板と蛍光体層との間に配置されていることを特徴としており、この前面基板と蛍光体層との間に位置する２次電子放出層から、それぞれの単位発光領域内に２次電子が放出される。
【００３０】
第７の発明によるプラズマディスプレイパネルは、前記目的を達成するために、第２の発明の構成に加えて、前記背面基板と蛍光体層の間に列電極を被覆する誘電体層が形成され、この誘電体層に前記保護誘電体層を形成する誘電体よりも２次電子放出係数が高い材料が含有されることによって、前記２次電子放出層が誘電体層と一体的に形成されていることを特徴としており、これによって、誘電体層と一体に形成された２次電子放出層からそれぞれの単位発光領域の放電空間内に２次電子が放出される。
【００３１】
第８の発明によるプラズマディスプレイパネルは、前記目的を達成するために、第２の発明の構成に加えて、前記紫外域発光蛍光体または可視域発光蛍光体によって、紫外域発光層または可視域発光層が形成されていることを特徴としている。
【００３２】
この第８の発明によるプラズマディスプレイパネルによれば、画像形成時のリセット放電の際に、放電空間に封入された放電ガスから放射される紫外線により紫外域発光層または可視域発光層が励起されて、紫外線または可視光線が放射される。
【００３４】
第９の発明によるプラズマディスプレイパネルは、前記目的を達成するために、第８の発明の構成に加えて、前記保護誘電体層を形成する誘電体よりも２次電子放出係数が高い材料が前記紫外域発光層または可視域発光層に含有されることによって、前記２次電子放出層が紫外域発光層または可視域発光層と一体的に形成されていることを特徴としており、これによって、紫外域発光層または可視域発光層と一体に形成された２次電子放出層からそれぞれの単位発光領域の放電空間内に２次電子が放出される。
【００３５】
第１０の発明によるプラズマディスプレイパネルは、前記目的を達成するために、第８の発明の構成に加えて、前記紫外域発光蛍光体または可視域発光蛍光体が前記蛍光体層に含有されることによって、前記紫外域発光層または可視域発光層が蛍光体層と一体的に形成されていることを特徴としており、これによって、蛍光体層と一体的に形成された紫外域発光層または可視域発光層からそれぞれの単位発光領域の放電空間内に、この紫外域発光層を形成する紫外域発光蛍光体または可視域発光層を形成する可視域発光蛍光体が有する残光特性によって、紫外線または可視光線が放射し続けられる。
【００３６】
第１１の発明によるプラズマディスプレイパネルは、前記目的を達成するために、第８の発明の構成に加えて、前記保護誘電体層を形成する誘電体よりも２次電子放出係数が高い材料および紫外域発光蛍光体または可視域発光蛍光体が前記蛍光体層に含有されることによって、前記２次電子放出層および紫外域発光層または可視域発光層が蛍光体層と一体的に形成されていることを特徴としており、これによって、画像形成時のリセット放電の際に、各単位発光領域の蛍光体層において、この蛍光体層を形成する蛍光材料から放射される可視光線によってこの蛍光体層に含有される２次電子放出係数が高い材料が励起されて２次電子が単位発光領域の放電空間内に放出されるとともに、この蛍光体層と一体的に形成された紫外域発光層または可視域発光層から、この紫外域発光層を形成する紫外域発光蛍光体または可視域発光層を形成する可視域発光蛍光体が有する残光特性によって紫外線または可視域光線が放射し続けられることによって、蛍光体層と一体的に形成された２次電子放出層から２次電子がアドレス期間中放出され続ける。
【００３８】
第１２の発明によるプラズマディスプレイパネルは、前記目的を達成するために、第１の発明の構成に加えて、前記プライミング粒子放出手段が、前記行電極対と対向する位置において行方向に延びるように形成されて、列方向において隣接する単位発光領域の放電空間に臨まされていることを特徴としており、これによって、プライミング粒子放出手段からこのプライミング粒子放出手段が列方向において隣接する単位発光領域の放電空間内にプライミング粒子が放出されるので、この単位発光領域内に十分なプライミング粒子量が確保される。
【００３９】
第１３の発明によるプラズマディスプレイパネルは、前記目的を達成するために、第１の発明の構成に加えて、前記プライミング粒子放出手段が、行方向において隣接する単位発光領域の間の位置に列方向に延びるように形成されて、行方向において隣接する単位発光領域の放電空間に臨まされていることを特徴としており、これによって、プライミング粒子放出手段からこのプライミング粒子放出手段が行方向において隣接する単位発光領域の放電空間内にプライミング粒子が放出されるので、この単位発光領域内に十分なプライミング粒子量が確保される。
【００４０】
第１４の発明によるプラズマディスプレイパネルは、前記目的を達成するために、第１の発明の構成に加えて、行方向に延びる横壁部と列方向に延びる縦壁部とからなり前記前面基板と背面基板との間に配置された隔壁によって放電空間が単位発光領域ごとに仕切られ、前記プライミング粒子放出手段が前面基板と隔壁の横壁部との間に形成されていることを特徴としており、これによって、プライミング粒子放出手段からこのプライミング粒子放出手段が列方向において隣接する隔壁によって仕切られた単位発光領域の放電空間内にプライミング粒子が放出されるので、この単位発光領域内に十分なプライミング粒子量が確保される。
【００４１】
第１５の発明によるプラズマディスプレイパネルは、前記目的を達成するために、第１の発明の構成に加えて、行方向に延びる横壁部と列方向に延びる縦壁部とからなり前記前面基板と背面基板との間に配置された隔壁によって放電空間が単位発光領域ごとに仕切られ、前記プライミング粒子放出手段が前面基板と隔壁の縦壁部との間に形成されていることを特徴としており、これによって、プライミング粒子放出手段からこのプライミング粒子放出手段が行方向において隣接する隔壁によって仕切られた単位発光領域の放電空間内にプライミング粒子が放出されるので、この単位発光領域内に十分なプライミング粒子量が確保される。
【００４２】
第１６の発明によるプラズマディスプレイパネルは、前記目的を達成するために、第１の発明の構成に加えて、前記前面基板と背面基板との間に配置された列方向に延びる帯状の隔壁によって行方向において隣接する単位発光領域が仕切られており、前記プライミング粒子放出手段が行電極の本体部と対向する位置において行方向に延びるように形成されていることを特徴としており、これによって、プライミング粒子放出手段からこのプライミング粒子放出手段が列方向において隣接する単位発光領域の放電空間内にプライミング粒子が放出されるので、この単位発光領域内に十分なプライミング粒子量が確保される。
【００４３】
第１７の発明によるプラズマディスプレイパネルは、前記目的を達成するために、第８の発明の構成に加えて、前記前面基板の行方向または列方向において隣接する単位発光領域の間の非発光領域に対向する部分であって前記紫外域発光層または可視域発光層に対して背面基板と反対側位置に光吸収層が形成されていることを特徴としており、これによって、前面基板を通して入射してくる外光が画像の非表示域において反射されるのを防止して、表示画面のコントラストを向上させることができる。
【００４４】
【発明の実施の形態】
以下、この発明の最も好適と思われる実施の形態について、図面を参照しながら詳細に説明を行う。
【００４５】
図１ないし６は、この発明によるプラズマディスプレイパネル（以下、ＰＤＰという）の実施形態の第１の例を示すものであって、図１はこの第１の例におけるＰＤＰを模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図、図６は図１のＷ３−Ｗ３線における断面図である。
【００４６】
この図１ないし６に示されるＰＤＰは、表示面である前面ガラス基板１０の背面に、複数の行電極対（Ｘ，Ｙ）が、前面ガラス基板１０の行方向（図１の左右方向）に延びるように平行に配列されている。
【００４７】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００４８】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００４９】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００５０】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００５１】
前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、隔壁３５の縦壁３５ａに対向する部分に、光吸収層（遮光層）３１が形成されている。
【００５２】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置および隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００５３】
そして、この誘電体層１１と嵩上げ誘電体層１１Ａの背面側には、ＭｇＯからなる保護層１２が形成されている。
【００５４】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００５５】
背面ガラス基板１３の表示側の面上には、さらに、列電極Ｄを被覆する白色の誘電体層１４が形成され、この誘電体層１４上に、隔壁３５が形成されている。
【００５６】
隔壁３５は、互いに平行に配列された各列電極Ｄの間の位置において列方向に延びる縦壁３５ａと、嵩上げ誘電体層１１Ａに対向する位置において行方向に延びる横壁３５ｂとによって梯子状に形成されている。
【００５７】
そして、この梯子状の隔壁３５によって、前面ガラス基板１０と背面ガラス基板１３の間の空間が、各行電極対（Ｘ，Ｙ）において対となった透明電極ＸａとＹａに対向する部分毎に区画されて、それぞれ方形の放電空間Ｓが形成されている。
【００５８】
隔壁３５の縦壁３５ａの表示側の面は保護層１２に当接されておらず（図３および４参照）、その間に隙間ｒが形成されており、また、横壁３５ｂの表示側の面も、保護層１２の嵩上げ誘電体層１１Ａを被覆している部分に直接当接されていない（図２，３および５参照）。
【００５９】
放電空間Ｓに面する隔壁３５の縦壁３５ａおよび横壁３５ｂの側面と誘電体層１４の表面には、これらの五つの面を全て覆うように蛍光体層１６が、それぞれ順に形成されている。
【００６０】
この蛍光体層１６の色は、各放電空間Ｓ毎にＲ，Ｇ，Ｂの色が行方向に順に並ぶように設定されている（図４参照）。
そして、放電空間Ｓ内には、キセノンＸｅを含む放電ガスが封入されている。
【００６１】
この放電空間Ｓを区画する梯子状の各隔壁３５の横壁３５ｂは、表示ライン間の光吸収層３０と重なる位置に設けられた隙間ＳＬによって、列方向において隣接する他の隔壁３５の横壁３５ｂと離間されている。
【００６２】
すなわち、それぞれ梯子状に形成された隔壁３５は、表示ライン（行）Ｌ方向に沿って延び、表示ラインＬに沿って延びる隙間ＳＬを介して互いに平行になるように列方向に配列されている。
【００６３】
各横壁３５ｂの幅は、それぞれ縦壁３５ａの幅と略同一になるように設定されている。
【００６４】
このＰＤＰには、さらに、図２および３，６に示されるように、保護層１２の背面側で各隔壁３５の横壁３５ｂの表示側の面と対向する部分に、誘電体層１１および嵩上げ誘電体層１１Ａを被覆する保護層１２を形成するＭｇＯよりも２次電子放出係数が高い（仕事関数が低い）材料を含む２次電子放出層１７が形成されており、この２次電子放出層１７が放電空間Ｓ内に臨まされた状態で横壁３５ｂの表示側の面に当接されることによって、各放電空間Ｓと隙間ＳＬとの間が遮蔽されている。
【００６５】
なお、この２次電子放出層１７は、隔壁３５の横壁３５ｂの表示側の面上に形成するようにしても良い。
【００６６】
この２次電子放出層１７が設けられているのは、以下の理由による。
すなわち、ＭｇＯによって形成された保護層１２は、誘電体層１１および嵩上げ誘電体層１１Ａをイオン衝撃から保護する機能と、放電によって放電空間Ｓ内に２次電子を放出することによりプライミング粒子を生成する機能を果たすものであるが、ＭｇＯは、仕事関数（２次電子を放出するために必要な放電電圧）が約４．２ｅＶと比較的高く、２次電子を放出し難いために、ＭｇＯよりも２次電子放出係数が高い（仕事関数が低い）材料によって形成された２次電子放出層１７を設けることによって、放電空間Ｓ内への２次電子の放出量を増加させるようにしたものである。
【００６７】
この２次電子放出層１７を形成する２次電子放出係数が高く絶縁性を有する材料としては、アルカリ金属の酸化物（例えば、Ｃｓ2Ｏ）やアルカリ土類金属の酸化物（例えば、ＣａＯ，ＳｒＯ、ＢａＯ），弗化物（ＣａＦ2、ＭｇＦ2）などが挙げられる。
【００６８】
なお、これらの材料は、２次電子放出係数はＭｇＯよりも大きいがイオン衝撃に対してはＭｇＯよりも強度が小さいために、誘電体層１１の保護という点では劣っているので、保護層１２とは別個に設けるのが好ましい。
【００６９】
また、結晶欠陥や不純物などによって結晶内に不純物順位を導入して２次電子放出係数を高めた材料により、２次電子放出層１７を形成するようにしても良い。
【００７０】
例えば、ＭｇＯｘのように組成比を１：１から変えることによって結晶欠陥を導入して２次電子放出係数を高めた材料により、２次電子放出層１７を形成することが出来る。
【００７１】
上記のＰＤＰは、行電極対（Ｘ，Ｙ）がそれぞれマトリクス表示画面の１表示ライン（行）Ｌを構成し、また、梯子状の隔壁３５によって区画された放電空間Ｓが、それぞれ一つの放電セルＣを画定している。
【００７２】
このＰＤＰにおける画像表示は、図１２において説明したのと同様に、サブフイールド法によって行われる。
【００７３】
すなわち、一斉リセットの後、アドレス操作によって、各放電セルＣにおいて行電極対（Ｘ，Ｙ）と列電極Ｄとの間で選択的に放電が行われ、全表示ラインＬに発光セル（誘電体層１１に壁電荷が形成された放電セルＣ）と非発光セル（誘電体層１１に壁電荷が形成されなかった放電セルＣ）とが、表示する画像に対応して、パネル上に分布される。
【００７４】
このアドレス操作の後、全表示ラインＬにおいて一斉に、行電極対（Ｘ，Ｙ）に対して交互に放電維持パルスが、各サブフィールドの重み付けに対応した数だけ印加され、この放電維持パルスが印加される毎に各発光セルにおいて面放電が生起されて紫外線が発生され、この紫外線によって放電空間Ｓ内のＲ，Ｇ，Ｂの各蛍光体層１６がそれぞれ励起されて発光することにより、表示画面が形成される。
【００７５】
以上のようにしてＰＤＰにおける画像の形成が行われるが、この画像形成時のリセット放電の際に、各放電セルＣのＲ，Ｇ，Ｂの蛍光体層１６から放射される可視光によって、２次電子放出層１７を形成する２次電子放出係数が高い（仕事関数が低い）材料が励起されて、この２次電子放出層１７から２次電子が放電セルＣ内に放出される。
【００７６】
このとき、赤色Ｒ（（Ｙ、Ｇｄ）ＢＯ3：Ｅｕ）および緑色Ｇ（Ｚｎ2ＳｉＯ4：Ｍｎ）の蛍光体層１６は、それぞれリセット放電によって、数ｍｓｅｃ以上の間可視光を放出し統けるために、この可視光によって１サブフィールドのアドレス期間Ｗｃ（図１２参照）の間、２次電子放出層１７から２次電子が放出され、さらにこの２次電子によってプライミング粒子が再生成されるので、放電セルＣにおけるプライミング粒子量の減少が抑制される。
【００７７】
従って、このプライミング粒子量の減少の抑制によって、アドレス期間Ｗｃにおける放電遅れ時間の増大が抑制されるとともに、放電遅れ時間のばらつきの増大も抑制されるので、走査パルスＳＰ（図１２参照）および表示データパルスのパルス幅を狭くしてもアドレス期間Ｗｃにおける選択放電動作が不安定になって誤放電が発生するのが防止され、これによって、高品質な画像の形成を行うことが出来るようになるとともに、アドレス期間を短縮できるようになる。
【００７８】
図７の（Ａ）は、上記ＰＤＰにおける放電遅れ時間と放電発光のばらつきをオシログラフによって測定した結果を示すグラフであって、Ｆが放電発光を示し、Ｔｌが放電遅れ時間を、また、Ｆｕが放電発光のばらつきをそれぞれ示している。
【００７９】
この図７の（Ａ）のグラフを、２次電子放出層１７が設けられていない場合の放電遅れ時間Ｔｌ’と放電発光のばらつきＦｕ’を示す（Ｂ）のグラフと比較すると、放電遅れ時間および放電発光のばらつきがともに減少していることが分かる。
【００８０】
上記図１〜６の例においては、２次電子放出層１７が保護層１２の背面側の面と隔壁３５の横壁３５ｂの表示側の面との間にのみ配置されているが、図８に示されるように、２次電子放出層１７’を、隔壁３５の縦壁３５ａの表示側の面上に形成したり、また、この縦壁３５ａに対向する保護層１２の背面側に形成して、縦壁３５ａと保護層１２との間の各放電セルＣの放電空間内に臨まされる位置に配置するようにしても良い。
【００８１】
これによって、放電セルＣの放電空間に接している２次電子放出層１７’の面積が増加して２次電子の放出量が増加され、１サブフィールドのアドレス期間Ｗｃにおけるプライミング粒子量が十分に確保される。
【００８２】
なお、上記の例において、２次電子放出係数が高い（仕事関数が低い）材料を蛍光体層１６に含有させて、蛍光体層１６に２次電子放出層を兼ねさせるようにしても良い。
【００８３】
また、２次電子放出層を隔壁３５の内壁面（蛍光体層１６と隔壁３５の側壁面との間）に塗布形成するか、２次電子放出係数が高い材料を隔壁３５に含有させるようにしてもよい。
【００８４】
また、２次電子放出層を前面ガラス基板１０側の保護層１２上の行電極Ｘ，Ｙと対向しない部分に塗布形成するようにしても良い。
【００８５】
さらにまた、２次電子放出層を背面ガラス基板１３側の誘電体層１４上（誘電体層１４と蛍光体層１６の間）に塗布形成するか、２次電子放出係数が高い材料を誘電体層１４に含有させるようにしても良い。
【００８６】
上記各例のＰＤＰにおいて、２次電子放出係数が高い材料を励起する励起光を放射することにより保護層１２および２次電子放出層１７、または、２次電子放出係数が高い材料が含有された蛍光体層１６から放出される２次電子を増加させるための発光層を、各放電セルＣの放電空間内に臨まされるように形成してもよい。
このような発光層には、紫外域発光層と可視域発光層とがある。
【００８７】
紫外域発光層は、放電によって放電空間Ｓ内に封入された放電ガスに含まれるキセノンＸｅから放射される波長１４７ｎｍの真空紫外線に励起されることにより、０．１ｍｓｅｃ以上、好ましくは、１ｍｓｅｃ以上（すなわち、アドレス期間Ｗｃの時間長程度）の紫外線を放射し続けるような残光特性を有する紫外域発光蛍光体によって形成されている。
【００８８】
このような残光特性を有する紫外域発光蛍光体としては、例えば、ＢａＳｉ2Ｏ5：Ｐｂ2+（発光波長：３５０ｎｍ）やＳｒＢ4Ｏ7Ｆ：Ｅｕ2+（発光波長：３６０ｎｍ），（Ｂａ，Ｍｇ，Ｚｎ）3Ｓｉ2Ｏ7：Ｐｂ2十（発光波長：２９５ｎｍ），ＹＦ3：Ｇｄ，Ｐｒなどが挙げられる。
【００８９】
また、可視域発光層は、放電によってキセノンＸｅから放射される波長１４７ｎｍの真空紫外光に励起されて０．１ｍｓｅｃ以上、好ましくは、１ｍｓｅｃ以上（すなわち、アドレス期間Ｗｃの時間長程度）の紫外線を放射し続けるような残光特性を有する可視域発光蛍光体によって形成されている。
【００９０】
このような残光特性を有する可視域発光蛍光体としては、赤色Ｒ（（Ｙ、Ｇｄ）ＢＯ3：Ｅｕ）や緑色Ｇ（Ｚｎ2ＳｉＯ4：Ｍｎ）の蛍光体材料などが挙げられる。
【００９１】
これら紫外域発光層および可視域発光層は、放電ガス中のキセノンＸｅから放電によって放射される波長１４７ｎｍの真空紫外線によって励起されて、紫外線を放射する。
【００９２】
この紫外域発光層または可視域発光層から放射される紫外線は、保護層（ＭｇＯ層）１２および２次電子放出層１７、または、２次電子放出係数が高い材料が含有された蛍光体層１６から２次電子を放出させて、１サブフィールドにおけるアドレス期間Ｗｃ（図１２参照）の間、プライミング粒子を放電セルＣの放電空間内に再生成し続けるため、各発光セルにおけるプライミング粒子量の減少が抑制される。
【００９３】
したがって、この紫外域発光層または可視域発光層から放射される紫外線によって２次電子の放出量が増加して、発光セルにおけるプライミング粒子量の減少がさらに抑制されるので、アドレス期間Ｗｃにおける放電遅れ時間の増大や放電遅れ時間のばらつきの発生がさらに抑制される。
【００９４】
この紫外域発光層および可視域発光層は、２次電子放出層１７とは別に、前面ガラス基板１０と隔壁３５との間の間隙内で放電空間に臨まされる部分に設けることが出来るが、２次電子放出係数の高い（仕事関数が低い）材料を紫外域発光層または可視域発光層に含有させることによって、２次電子放出層１７と紫外域発光層または可視域発光層を一体化させるようにしても良い。
【００９５】
また、紫外域発光蛍光体または可視域発光蛍光体を２次電子放出係数の高い（仕事関数が低い）材料とともに蛍光体層１６に含有させるようにしても良い。
【００９６】
なお、上記ＰＤＰは、列方向において互いに隣接している隔壁３５の横壁３５ｂが行方向に延びる隙間ＳＬによって互いに離間されているとともに、この横壁３５ｂの幅がそれぞれ縦壁３５ａの幅と略同一になるように設定されていることによって、隔壁３５の焼成時に、前面ガラス基板１０や背面ガラス基板１３に反りが発生したり、また、隔壁３５の破損などによる放電セル形状の変形が生じる虞がない。
【００９７】
さらに、上記ＰＤＰは、前面ガラス基板１０の背面の放電空間Ｓに対向する部分以外の部分が、光吸収層３０，３１および二層構造に形成されたバス電極Ｘｂ，Ｙｂの黒色導電層Ｘｂ’，Ｙｂ’によってカバーされていることにより、前面ガラス基板１０を通して入射してくる外光が反射されるのを防止して、表示画面のコントラストを向上させることができる。
【００９８】
なお、この例において、光吸収層３０と３１のうち何れか一方のみを形成するようにしてもよい。
また、前面ガラス基板１０の背面に、対向する放電空間Ｓ内の蛍光体層１６の色（Ｒ，Ｇ，Ｂ）に対応する色のカラーフィルタ層（図示せず）を、各放電セルＣ毎に形成することも出来る。
【００９９】
この場合、光吸収層３０，３１は、各放電空間Ｓに対向するように島状に形成されたカラーフィルタ層の間隙またはこの間隙に対応する位置に形成される。
【０１００】
図９ないし１１は、この発明によるＰＤＰの実施形態の第２の例を示すものであって、図９はこの第２の例におけるＰＤＰを模式的に表す平面図であり、図１０は図９のＶ３−Ｖ３線における断面図、図１１は図９のＷ４−Ｗ４線における断面図である。
【０１０１】
この図９ないし１１に示されるＰＤＰは、上記第１の例の隔壁が縦壁と横壁よによって放電セルの四方を囲んで区画する構成になっていたのに対し、この例におけるＰＤＰは、前面ガラス基板１０と背面ガラス基板１３との間の放電空間Ｓが、列方向に延びるストライプ状の隔壁４５によって区画されるものである。
【０１０２】
このＰＤＰの他の構成は、行電極Ｘ１，Ｙ１の透明電極Ｘ１ａ，Ｙ１ａの形状および誘電体層１１に嵩上げ誘電体層が形成されていない他は、第１の例のＰＤＰと同様であり、行電極Ｘ１，Ｙ１のバス電極Ｘ１ｂ，Ｙ１ｂが、それぞれ、表示面側の黒色導電層Ｘ１ｂ’，Ｙ１ｂ’と背面側の主導電層Ｘ１ｂ”，Ｙ１ｂ”の二層構造に形成されているとともに、前面ガラス基板１０の背面に、列方向において隣接する行電極対（Ｘ１，Ｙ１）のそれぞれの互いに背中合わせになったバス電極Ｘ１ｂとＹ１ｂの間に、このバス電極Ｘ１ｂ，Ｙ１ｂに沿って行方向に延びる黒色の光吸収層（遮光層）３０が形成されている。
【０１０３】
そして、誘電体層１１の背面側の互いに背中合わせになったバス電極Ｘ１ｂとＹ１ｂおよびこのバス電極Ｘ１ｂとＹ１ｂの間に形成された光吸収層３０に対向する部分に、２次電子放出層２７が、行方向に沿って延びるとともに放電空間Ｓ’に臨まされるように形成されている。
【０１０４】
この例においても、第１の例の場合と同様に、画像形成時のリセット放電の際に、各放電セルの蛍光体層１６’から放射される可視光によって、２次電子放出層２７を形成する２次電子放出係数の高い（仕事関数が低い）材料が励起されて、この２次電子放出層２７から２次電子が各放電セルの放電空間Ｓ’内に放出される。
【０１０５】
このようにして保護層１２’から放出される２次電子に加えて２次電子放出層２７からも２次電子が放出されることによって、放電空間Ｓ’内におけるプライミング粒子の量が十分に確保され、これによって、アドレス期間における放電遅れ時間の増大や放電遅れ時間のばらつきの発生がさらに抑制される。
【０１０６】
この例において、２次電子放出層は、ストライプ状の隔壁４５の表示側の面の放電空間Ｓ’に接する部分に設けられるようにしても良い。
また、この例においても、前記第１の例の場合と同様に、紫外域発光層または可視域発光層を形成するようにしても良い。
【０１０７】
なお、この例におけるＰＤＰは、列方向においては、各放電セルＣ’を区画する隔壁が存在しないが、行電極Ｘ１，Ｙ１のそれぞれの透明電極Ｘ１ａ，Ｙ１ａがバス電極Ｘ１ｂ，Ｙ１ｂから列方向に突出して互いに対向するように形成されているので、列方向において隣接する放電セルＣ’間における放電の干渉が抑制される。
【図面の簡単な説明】
【図１】この発明の第１の例を模式的に表す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】図１のＷ３−Ｗ３線における断面図である。
【図７】同例において、放電遅れ時間と放電遅れ時間のばらつきとを示すグラフである。
【図８】２次電子放出層の他の例を示す平面図である。
【図９】この発明の第２の例を模式的に表す平面図である。
【図１０】図９のＶ３−Ｖ３線における断面図である。
【図１１】図９のＷ４−Ｗ４線における断面図である。
【図１２】プラズマディスプレイパネルにおけるサブフィールド法を示すタイムチャートである。
【符号の説明】
１０             …前面ガラス基板（前面基板）
１１             …誘電体層
１１Ａ           …嵩上げ誘電体層
１２             …保護層（保護誘電体層）
１３             …背面ガラス基板（背面基板）
１４             …誘電体層
１６             …蛍光体層
１７，１７’，２７…２次電子放出層
３０             …光吸収層
３１             …光吸収層
３５             …隔壁
３５ａ           …縦壁（縦壁部）
３５ｂ           …横壁（横壁部）
４５             …隔壁
Ｘ，Ｘ１         …行電極
Ｙ，Ｙ１         …行電極
Ｘａ，Ｘ１ａ     …透明電極
Ｙａ，Ｙ１ａ     …透明電極
Ｘｂ，Ｘ１ｂ     …バス電極（本体部）
Ｙｂ，Ｙ１ｂ     …バス電極（本体部）
Ｘｂ’，Ｙｂ’   …黒色層（光吸収層）
Ｘｂ”，Ｙｂ”   …白色層（光反射層）
Ｄ               …列電極
Ｓ，Ｓ’         …放電空間
ＳＬ             …隙間
Ｃ，Ｃ’         …放電セル（単位発光領域）
Ｌ               …表示ライン
ｇ               …ギャップ
ｒ               …隙間
Ｔｌ             …放電遅れ時間
Ｆ               …放電発光
Ｆｕ             …放電発光のばらつき
【図１】
0004108907.tif 000002
【図２】
0004108907.tif 000003
【図３】
0004108907.tif 000004
【図４】
0004108907.tif 000005
【図５】
0004108907.tif 000006
【図６】
0004108907.tif 000007
【図７】
0004108907.tif 000008
【図８】
0004108907.tif 000009
【図９】
0004108907.tif 000010
【図１０】
0004108907.tif 000011
【図１１】
0004108907.tif 000012
【図１２】
0004108907.tif 000013